(57)【要約】【課題】接続配管のステーへの取り付け作業を簡略化できる抜止構造を提供すること。また、抜止構造の部品点数を減少し、抜止構造のコストを低減すること。また、取付後には振動などによっても接続配管の取付が緩むことが無く脱落のおそれのない抜止構造を提供すること。【解決手段】その一端側が給水配管等の端末に接続されると共に他端側は第１ステー５４に穿設された挿通孔５８に挿通されて水栓本体２０の接続部２２，２４に接続されるエルボの、第１ステー５４に対する抜け止めを行うための接続配管の抜止構造１０であって、エルボ４２の外周面に突設片４４を設け、第１ステー５４に穿設された挿通孔５８は挿通されるエルボ４２が回動可能に設け、挿通孔５８のエルボ４２側周縁部には、周縁部から立ち上がり次いで挿通孔５８の周縁部に沿って屈曲すると共に、突設片４４を収容して係止可能に形成された鉤状突片５９が設けられた。【選択図】    図２
2004300832.tif 000002
【特許請求の範囲】
【請求項１】
その一端側が配管の端末に接続されると共に他端側はステーに穿設された挿通孔に挿通されて水栓本体の接続部に接続される接続配管の、前記ステーに対する抜け止めを行うための接続配管の抜止構造であって、
前記接続配管の外周面には突設片が設けられ、
前記ステーに穿設された挿通孔は前記挿通される接続配管が回動可能に設けられ、前記挿通孔の接続配管側周縁部には、周縁部から立ち上がり次いで挿通孔の周縁部に沿って屈曲すると共に、前記突設片を収容して係止可能に形成された鉤状突片が設けられたことを特徴とする接続配管の抜止構造。
【請求項２】
前記突設片は少なくとも２つ以上設けられ、前記鉤状突片は少なくとも前記突設片と対向する位置に備えられている請求項１に記載の接続配管の抜止構造。
【発明の詳細な説明】
【０００１】
【発明の属する技術分野】
本発明は、配管端末に接続される接続配管のステーに対する抜け止めを行う接続配管の抜止構造に関する。
【０００２】
【従来の技術】
従来、湯水混合水栓等の水栓本体と給水配管や給湯配管とを接続するためにエルボ等の接続配管が用いられている。このような接続配管は、壁面等の取付部に固定されたステーの挿通孔に挿通されるなどしてステー正面側に配設される水栓本体に接続されるが、接続配管がステーから抜け落ちないようするために、接続配管をステーの挿通孔に挿通すると共にこの接続配管をナットやビスなどを用いてステーに螺着固定するような抜止構造が知られている。
【０００３】
これを、図４を参照して説明する。水栓本体２０背面側（図の上方）からは、吐水口やシャワーホースから吐出される湯水を混合する水栓本体内の混合室へと連通する円筒状の水側接続部２２及び湯側接続部２４がそれぞれ突設されている。一方、給水配管及び給湯配管は、壁面等の取付部７０の裏側に引き回されている。接続配管７１には、それぞれ雄ねじが刻設された後方接続口７２及び前方接続口７３が備えられており、両接続口の間には、後述する取付部７０の取付孔７４よりも大径のフランジ部７５が設けられている。給水配管１側及び給湯配管１側にそれぞれ用意された２つの接続配管７１は、固定ステー７６の固定用孔７７にそれぞれ挿通された状態でその後方接続口７２にナット７８が螺着され、所定の間隔に定められて固定ステー７８に取り付けられている。固定ステー７６の固定用孔７７は、両接続配管７１が水栓本体２０の両接続部２２，２４の間隔に合わせた間隔となるように設けられており、予め両接続配管７１の間隔を定めておいて水栓本体２０の接続配管７１への接続作業を容易にするものである。また、図示は省略するが、後方接続口７２にはさらに袋ナットにより給水配管・給湯配管がそれぞれ接続固定されている。そして、固定ステー７６に取り付けられた各接続配管７１を、その前方接続口７３を取付部７０の取付孔７４に挿通させて、取付部７０前方側に前方接続口７３の開口部を臨ませる。
【０００４】
取付部７０前方側においては、シートパッキン８０及び取付ステー８１を介して、円筒状の固定部材８２が前方接続口７３に螺着固定される。固定部材８２の前方側には、取付部７０の取付孔７４及び取付ステー８１の取付孔８５よりも大径のフランジ部８３が設けられており、上述した接続配管７１のフランジ部７５とこの固定部材８２のフランジ部８３とにより取付部７０及び取付ステー８１が狭持されて、接続配管７１が固定ステー７６に対して抜け止めされることとなる。また同時に、取付ステー８１、固定部材８２等が取付部７０に固定される。そして、接続配管７１の前方接続口７３内周面にはＯリング４０が装着されており、この前方接続口７３に水栓本体２０の接続部２２，２４がそれぞれ挿嵌接続されて、接続部２２，２４と接続配管７１とが水密に接続されることとなる。また、水栓本体２０は別途取付ステー８１に固定されて、水栓本体２０自体も取付部７０に固定されている（特許文献１参照）。
【０００５】
【特許文献１】
特開２００１−３４０９号公報（図２及び図３参照）
【０００６】
【発明が解決しようとする課題】
上記した接続配管の抜止構造８４では、接続配管７１が固定ステー７６から抜け落ちないようにするために、取付ステー８１表側から接続配管７１に固定部材８２を螺着する必要があり作業が煩雑なものとなっていた。また、このような固定部材８２を用いるため、接続配管７１の抜止めのために別途固定部材８２という部品が必要となり部品点数が増加するという問題も生じていた。また、接続配管７１の取付後に、ウォーターハンマの振動等によって螺着した固定部材８２が緩むことがあり、接続配管７１の脱落のおそれも生ずることとなっていた。なお、このように固定部材８２を用いる抜止構造のみならず、ビスなどによって接続配管７１を固定ステーにねじ止めする抜止構造においても同様の問題が生じていた。
【０００７】
本発明は、上記した従来の接続配管の抜止構造の問題点を解消するものであり、接続配管のステーへの取り付け作業を簡略化できる抜止構造を提供することにある。また、抜止構造の部品点数を減少し、抜止構造のコストを低減することも目的とする。さらにまた、取付後には振動などによっても接続配管の取付が緩むことが無く脱落のおそれのない抜止構造を提供することも目的とする。
【０００８】
【課題を解決するための手段】
以上の課題を解決するために、本発明の採った手段を以下に説明する。本発明は、その一端側が配管の端末に接続されると共に他端側はステーに穿設された挿通孔に挿通されて水栓本体の接続部に接続される接続配管の、前記ステーに対する抜け止めを行うための接続配管の抜止構造であって、前記接続配管の外周面には突設片が設けられ、前記ステーに穿設された挿通孔は前記挿通される接続配管が回動可能に設けられ、前記挿通孔の接続配管側周縁部には、周縁部から立ち上がり次いで挿通孔の周縁部に沿って屈曲すると共に、前記突設片を収容して係止可能に形成された鉤状突片が設けられたことを特徴とする接続配管の抜止構造である（請求項１）。
【０００９】
本発明では、突設片を鉤状突片からずらした状態で、挿通孔に接続配管を挿通し、この状態から接続配管を回動させて突設片を鉤状突片内に収容することにより突設片が鉤状突片に係止され、接続配管のステーに対する抜け止めを行うことができる。このように、接続配管の突設片をステー側の鉤状突片に係止可能に設けることにより、ねじ止めや固定部材によって接続配管の抜け止めを行う必要がなく、極めて簡便に抜け止めを行うことができる。また、突設片は鉤状突片に係止されているだけなので、振動によりねじが緩むことによる脱落のおそれもない。ここで「接続配管」は、その配管側が給水・給湯配管側に接続されると共に水栓本体側は水栓本体の接続部に接続される配管を言い、ストレート管やエルボなどの剛性管や可撓管など種々の配管を含み、その形状や材質などは限定されない。「突設片」は、鉤状突片に収容されて係止可能な突片、舌片その他の接続配管から突設される種々の部位をいう。「鉤状突片」も同様に、「周縁部から立ち上がり次いで挿通孔の周縁部に沿って屈曲すると共に、前記突設片を収容して係止可能」であればその長さなど形状についての限定はされない。また、突設片や鉤状突片は、接続配管やステーとは別に形成された上で、接続配管やステーに取り付けられるものでもよい。また、本発明の接続配管は給水配管や給湯配管に接続されることにより回動が規制されるので、ねじ止めや固定部材によって接続配管の抜け止めを行う必要がなく、極めて簡単に抜け止めを行うことができるのであるが、給水配管や給湯配管が不安定な状態で引き回されている場合には、配管接続が回動して外れ、接続配管が外れるおそれがあるので、接続配管をねじ止めや固定部材を用いて抜け止めを行うことと併用することができる。こうすることにより、給水配管や給湯配管が不安定な状態で引き回されている場合でも配管接続が回動して外れて脱落するのを防止することができる。
【００１０】
また、前記突設片は少なくとも２つ以上設けられ、前記鉤状突片は少なくとも前記突設片と対向する位置に備えられているものとすることができる（請求項２）。
【００１１】
確実・安定的に接続配管の抜け止めを行うためには、突設片は少なくとも２つ以上の数が設けられることとして係止される箇所を２つ以上とすることが望ましい。また当然ながら、これに対応して、突設片と対向する位置に少なくとも鉤状突片を設けることとなる。なお、突設片の数は２つ以上であってもよく、これに対応して鉤状突片も少なくとも突設片と同じ数を設けることとしているが、鉤状突片の数は突設片よりも多く設けることすることも可能である。この場合には、接続配管の方向を変えてステーに取付けることができ、接続配管を給水配管や給湯配管の配設状態に合わせてステーに取付けることができるので、接続配管のステーへの取付け作業を簡略化できる。
【００１２】
【発明の実施の形態】
次に、本発明の接続配管の抜止構造の実施の形態を、図を参考にして詳細に説明する。図１に示すように、本実施の形態の抜止構造１０は、壁面に対して固定される第１ステー５４に、その一端側が給水配管・給湯配管にそれぞれ接続されたエルボ４２（本発明にいう「接続配管」の一例である）の他端側を取り付けるものであり、さらにこのエルボ４２に湯水混合水栓の水栓本体２０の水側接続部２２・湯側接続部２４を挿嵌接続するものである。また、水栓本体２０はエルボ４２にその接続部２２，２４が挿嵌接続されると共に、第１ステー５４にねじ止め固定される第２ステー６４に対して別途ねじ止め固定され、第２ステー６４及び第１ステー５４を介して壁面に固定される。
【００１３】
水栓本体２０は、その両側に温度調節ハンドル２６及び吐水切換ハンドル２８がそれぞれ取り付けられており、温度調節ハンドル２６によって水栓本体２０に内蔵されたサーモスタットカートリッジを駆動して吐水の温度を調節し、切換ハンドル２８によって水栓本体２０に内蔵された切換弁を駆動して、シャワーヘッド又は吐水口からの吐水の切換、及び吐水量の調節を行うものである。また、水栓本体２０の背面側には、上記したように、水栓本体２０に供給される湯・水が流入される円筒状の水側接続部２２・湯側接続部２４が、水栓本体２０の背面側の左右に並ぶように、水栓本体２０と一体的にそれぞれ突設されている。水栓本体２０と一体的に形成された両接続部２２，２４は、予め定められた間隔で形成されており、本水栓本体２０においてはその軸心間が１００ｍｍに定められている。また、これらの接続部２２，２４の間には、シャワー接続口３２が突設されている。このシャワー接続口３２には、シャワーヘッドが取り付けられたシャワーホースがその一端側に接続される接続管３０が接続され、シャワーヘッドからの吐水が流出される。また、接続管３０の他端側には、袋ナット３４により接続管３０にアダプター３６が取り付けられている。後述するように、このアダプター３６内にシャワー接続口３２が挿嵌接続されており、アダプター３６の開口部内周面にはＯリング４０が装着され、シャワー接続口３２の挿嵌状態においてシャワー接続口３２との水密が図られる。
【００１４】
図示しない給水配管・給湯配管は、ユニットバスの躯体壁面の裏側に引き回されて、水栓本体２０の下方から躯体内側に引き込まれている。躯体内側に引き込まれた両配管は上方に向かって立ち上げられ、その端末にエルボ４２が袋ナットによりそれぞれ接続固定されている。なお、本実施の形態ではエルボ４２は給水配管・給湯配管に接続されるものとしたがこれに限られず他の種々の配管に接続されるものに適用可能である。
【００１５】
このエルボ４２は、その全体形状が略Ｌ字状に屈曲形成された接続配管である。エルボ４２の一端側には下方から立ち上がる給水・給湯配管に接続されるために雄ねじが刻設されている。そして、図１及び図２に示すように、この雄ねじが刻設された一端側とは反対側の他端側には２つの突設片４４が設けられている。突設片４４は、屈曲されるエルボ４２の配管側の屈曲方向と略直交する方向において、エルボ４２水栓本体側の外周面の対向する部位に、エルボ４２外周面からほぼ垂直に立ち上がるようにそれぞれ突設されている。そして後述するように、エルボ４２の他端側には水栓本体２０の水側接続部２２・湯側接続部２４がそれぞれ挿嵌接続される。この水栓本体２０の接続部２２，２４が接続される他端側開口部内周面には、２つのＯリング４０がそれぞれ装着されており、挿嵌される水栓本体２０の接続部２２，２４外周面との間の水密が図られている。
【００１６】
次いで、エルボ４２の突設片４４について説明する。突設片４４は、エルボ４２の他端側の外周面に他端側の軸心を挟んで対向する位置に、それぞれエルボ４２の径方向に立ち上がるように舌片状に突設されている。突設片４４は後述する第１ステー５４の鉤状突片５９に収容可能な厚み・長さに形成されており、突設片４４がエルボ４２の他端側が挿通される方向と逆方向において係止されるように形成されている。後述するように、この鉤状突片５９に突設片４４を収容するには、鉤状突片５９の間に突設片４４を差し込むようにしながら第１ステー５４の挿通孔５８にエルボ４２の他端側を挿通し、次いでエルボ４２を他端側軸心周りに回動させて鉤状突片５９内に突設片４４を収容させることとしている。よって、突設片４４の厚みは、鉤状突片５９と第１ステー５４本体背面側との間隔よりも若干小さく設けられて、突設片４４が鉤状突片５９内に容易に収容できるように設けられている。
【００１７】
第１ステー５４は、その取付面５６が壁面にねじ止め固定されている。また、第１ステー５４には、その正面側にエルボ４２の水栓本体側が挿通される２つの挿通孔５８がそれぞれ設けられており、これらの挿通孔５８の間隔は水栓本体２０の２つの接続部２２，２４の間隔と同じ間隔に設けられている。挿通孔５８の内径はエルボ４２の他端側外径よりも若干大きな寸法に設けられており、挿通孔５８内でエルボ４２の位置を調節できるように設けられている。
【００１８】
挿通孔５８の左右には、上記したように、エルボ４２の突設片４４を収容する鉤状突片５９が設けられている。鉤状突片５９は、第１ステー５４の本体背面からほぼ垂直に立ち上がると共にその先端側は挿通孔５８の周縁部周りに時計回りと反対方向に折り曲げられて全体として断面略Ｌ字状に形成されている。鉤状突片５９と第１ステー５４本体との間の間隔は、上記したように、ここに収容されるエルボ４２の突設片４４の厚みよりも若干大きく設けられて、この鉤状突片５９内に突設片４４が容易に収容可能に構成されている。なお、この鉤状突片５９は、挿通孔５８周縁部の一部を切り欠いてこの部位を折り曲げ形成されて設けられているが、これに限られず、別途形成した鉤状突片５９を第１ステー５４本体に取り付け固定することとしても良い。また、これらの２つの挿通孔５の間には、上記した接続管３０に取り付けられるアダプター３６が挿通される挿通孔６１も別途設けられている。
【００１９】
また図１に示すように、本例においては、カバー６２によりエルボ４２などの配管類が被覆されている。カバー６２は、第２ステー６４よりも背面側を被覆するものであり、エルボ４２、第１ステー５４、給水配管・給湯配管、水栓本体２０とシャワーホースとを接続する接続管３０等を使用者の目に触れないようにして、水栓全体の美観を損なわないようにするものである。また、カバー６２は第１ステー５４の正面側に、さらにその正面側に配設される第２ステー６４とともに、同じく段付きビスによって第１ステー５４にねじ止め固定されている。このようにして、カバー６２及び第２ステー６４が第１ステー５４に固定されている。また、カバー６２及び第２ステー６４には、第１ステー５４に固定された状態で第１ステー５４の挿通孔５８と対応する部位に、同様にエルボ４２の他端側を挿通させるための挿通孔６６がそれぞれ設けられている。また、同様にアダプター３６が挿通される挿通孔６７も設けられている。そして、図示は省略するが、さらに第２ステー６４に対して水栓本体２０がねじ止め固定されており、水栓本体２０も第１ステー５４及び第２ステー６４を介して壁面に固定されている。
【００２０】
エルボ４２の水栓本体側開口部は、図１に示すように、第１ステー５４、カバー６２及び第２ステー６４のそれぞれの挿通孔５８，６６に挿通されて第２ステー６４の正面側に露呈されており、この開口部内に水栓本体２０の接続部２２，２４がそれぞれ挿嵌接続されている。
【００２１】
次いで、本接続配管の抜止構造１０の取付方法について説明する。まず、ユニットバスの躯体内に給水配管・給湯配管を引き込み、第１ステー５４が取り付けられる部位の下方にそれらの端末を引き回しておく。次に、第１ステー５４を壁面にねじ止めした後、エルボ４２の他端側を第１ステー５４に抜止固定する。エルボ４２の取付に際しては、図２に示すように、第１ステー５４の背面側からみて、エルボ４２の正規の取り付け位置よりも突設片４４が時計回りと逆方向に若干回動された位置に合わせて、突設片４４を鉤状突片５９の間に押し込むようにして、エルボ４２の他端側を第１ステー５４の挿通孔５８に挿通する。次いで、図２の矢印方向に示すようにエルボ４２を時計回りに回動すると、突設片４４が鉤状突片５９内に収容される。この状態でエルボ４２の一端側は下方を向くので、エルボ４２の一端側を給水配管・給湯配管に袋ナットにて螺着して接続する。これにより、エルボ４２の第１ステー５４への抜け止め及び給水配管・給湯配管への接続が完了する。
【００２２】
次いで、挿通孔６６にエルボ４２の他端側を挿通させて取り付けるとともに、カバー６２及び第２ステー６４を第１ステー５４にねじ止めする。同時にアダプター３６も挿通孔６７に挿通しておく。そして、第２ステー６４の正面側からエルボ４２の水栓本体側開口部内に水栓本体２０の各接続部２２，２４を挿嵌接続する。この際に、挿通孔５８，６６はエルボ４２の他端側外径よりも大きな内径に設けられておりエルボ４２を水栓本体２０の両接続部２２，２４の間隔方向において移動調節することができるので、両接続部２２，２４の間隔に合わせてエルボ４２の位置を微調整しながら、エルボ４２の水栓本体側開口部内に接続部２２，２４を容易に挿嵌することができる。また同時に、シャワー接続口３２をアダプター３６に挿嵌接続する。そして、これらの挿嵌作業を終えた後に水栓本体２０を第２ステー６４にねじ止め固定する。このようにエルボ４２に接続部２２，２４が挿嵌接続された水栓本体２０が第２ステー６４に固定されることにより、エルボ４２は、水栓本体２０正面側方向にも脱落しないこととなる。第２ステー６４は第１ステー５４を介して壁面に固定されているので、エルボ４２とともに水栓本体２０も壁面に対して充分に固定される。このようにして取り付け作業が完了する。
【００２３】
本抜止構造１０では上記したように、エルボ４２の第１ステー５４への抜け止めについては固定部材の取付やねじ止めなどの作業を必要とせず、単にエルボ４２を回動して鉤状突片５９内に突設片４４を収容して係止すれば足りるので、極めて簡便な取付作業だけで抜け止めを行うことができる。また、抜け止めに際しては固定部材やねじなど別に部品を必要としないので、抜止構造に必要な部品点数を削減することもできる。また、この抜け止めは鉤状突片５９内にエルボ４２の突設片４４が単に係止されているだけなので、水栓に生ずるウォーターハンマなどの振動によりねじが緩むなどのおそれがなく、水栓に生ずる振動を原因とする第１ステー５４からのエルボ４２の脱落のおそれも減少させることができる。
【００２４】
本発明は、上記した実施の形態に限定されるものではなく、本発明の趣旨の範囲内で種々の変更が可能である。例えば突設片４４や鉤状突片５９の数は上記したように２つに限られることはなく、３つ以上であっても良く、また、抜け止めが充分に行えるのであれば１つだけ設けることとすることも可能である。また、同様に抜け止めが行えるのであれば、鉤状突片５９の数と突設片４４の数が異なるように設けられてもよい。図３に示すのは、エルボ４２の突設片４４が３つ設けられ、また、鉤状突片５９も３箇所に設けられたものである。
【００２５】
また、例えば鉤状突片は、上記した実施例とは逆に、第１ステー５４背面側から見て時計回り方向に折曲されたものとしてもよい。この場合には、エルボ４２の取付の際には、エルボ４２を第１ステー５４の挿通孔５８に挿通した後に、上記例とは逆方向、すなわち時計回りとは逆方向に回動させて鉤状突片内に収容し係止させることとなる。
【００２６】
また、鉤状突片５９の先端寄り部分を第１ステー５４背面側から離れる方向に折曲形成して幅を広くとると、突設片４４を鉤状突片５９内に収容する際に鉤状突片５９奥側に容易に案内することができる。また、突設片４４が収容された状態において突設片４４よりも鉤状突片５９の先端寄りの内側の部位に、第１ステー５４の方向に突設される係合突起を設けると、いったん鉤状突片５９内に収容された突設片４４が係合突起により干渉されて鉤状突片５９内から脱落し難くなり、エルボ４２の抜け止めがより確実・安定的になされる。また、上記した実施の形態では、鉤状突片５９は第１ステー５４本体の一部が切り欠かれて形成されているが、第１ステー５４本体を切り欠くことなく、別に形成した鉤状突片を第１ステー５４本体に取り付けることも可能である。
【００２７】
【発明の効果】
本発明は上記のように突設片と鉤状突片により抜け止めを行うように構成されているので、極めて簡便に抜け止めを行うことができる。また、突設片は鉤状突片に係止されているだけなので、振動によりねじが緩むことによる脱落のおそれもない。
【図面の簡単な説明】
【図１】本発明の接続配管の抜止構造を用いた水栓の一部破断面図である。
【図２】ステー背面側からみた接続配管の抜止構造の分解斜視図である。
【図３】別の接続配管の抜止構造の分解斜視図である。
【図４】従来の接続配管の抜止構造を用いた水栓の一部破断面図である。
【符号の説明】
１０；抜止構造、２０；水栓本体、２２；水側接続部、２４；湯側接続部、２６；温度調節ハンドル、２８；吐水切換ハンドル、３０；接続管、３２；シャワー接続口、３４；袋ナット、３６；アダプター、４０；Ｏリング、４２；エルボ、４４；突設片、５０；段付きビス、５４；第１ステー、５６；取付面、５８；挿通孔、５９；鉤状突片、６１；挿通孔、６２；カバー、６４；第２ステー、６６；挿通孔、６７；挿通孔、７０；取付部、７１；接続配管、７２；後方接続口、７３；前方接続口、７４；取付孔、７５；フランジ部、７６；固定ステー、７７；固定用孔、７８；ナット、７９；袋ナット、８０；シートパッキン、８１；取付ステー、８２；固定部材、８３；フランジ部、８４；取付構造、８５；取付孔。
【図１】
2004300832.tif 000003
【図２】
2004300832.tif 000004
【図３】
2004300832.tif 000005
【図４】
2004300832.tif 000006